(57)【要約】      （修正有）【課題】台座本体と熱板との取り付け構造が簡単で、長期使用にも確実に所定の温度を確保でき、組立作業も至極簡単な電気ポットを提供する。【解決手段】中空で中央にガイド筒８を垂下した台座本体３と、台座本体３の下端外周を覆う底体４とを備えた台座２を設け、ガイド筒８内下部を封鎖するようにシーズヒータ５埋設の円盤状の熱板６を張設し、熱板６上に液体収容の容器７を着脱自在に装着する。ガイド筒８下端には、中央に向けて環状の受部を設け、この受部に適宜の間隔を隔てて上下に貫通する複数の透孔を設ける。シーズヒータ５外側の周面壁には、適宜の間隔を隔てて複数のボルトをインサート成形し、耐熱性のシールパッキンを介して受部上に熱板６を配置する。受部を貫通するボルトのネジ部分と受部との接触面、及び、ボルトに螺着して熱板６を固定するナットと受部との接触面に、耐熱性のパッキンを介在させる。【選択図】図３
0003158291.tif 000002
【実用新案登録請求の範囲】
【請求項１】
内部中空で中央にガイド筒(８)を垂下した台座本体(３)と、台座本体(３)の下端外周を覆う底体(４)とを備えた台座(２)を設け、この台座本体(３)のガイド筒(８)内下部を封鎖するようにシーズヒータ(５)埋設の円盤状の熱板(６)を張設し、熱板(６)上に液体収容の容器(７)を着脱自在に装着し、容器(７)内の液体を熱板(６)を介して加熱する電気ポット(１)に於いて、上記台座本体(３)のガイド筒(８)下端には、中央に向けて環状の受部(９)を設け、この受部(９)に適宜の間隔を隔てて上下に貫通する複数の透孔(１０)、(１０)を設ける一方、熱板(６)下壁の シーズヒータ(５)外側の周面壁には、適宜の間隔を隔てて複数のボルト(１１)、(１１)をインサート成形し、耐熱性のシールパッキン(１５)を介して受部(９)上に熱板(６)を配置し、受部(９)を貫通するボルト(１１)のネジ部分と受部(９)との接触面及びボルト(１１)に螺着して熱板(６)を固定するナット(１８)と受部(９)との接触面に耐熱性のパッキン(１７)を介在することを特徴とした電気ポット
【考案の詳細な説明】
【技術分野】
【０００１】
本考案は、熱板内蔵の台座と液体収容の容器とが分離する電気ポットに関するものである。
【背景技術】
【０００２】
従来、電気ポットでは、内部中空で中央にガイド筒を垂下した台座本体と、台座本体の下端外周を覆う底体とを備えた台座を設け、この台座本体のガイド筒内下部を封鎖するようにシーズヒータ埋設の円盤状の熱板を張設し、熱板上に液体収容の容器を着脱自在に装着し、容器内の液体を熱板を介して加熱する構造のものが特開２００５−１１０９３８号として存在する。
【先行技術文献】
【特許文献】
【０００３】
【特許文献１】特開２００５−１１０９３８号
【考案の概要】
【考案が解決しようとする課題】
【０００４】
ところが、この種の電気ポットでは、直接台座本体と熱板とを装着することはなく、熱板の下に液体が漏れ落ちないように、環状の支持板２２を設け、この支持板２２の上部と熱板の下部とをビス25にて止めた後に、この支持板２２の下部と台座本体のガイド筒下部とを皿状の部材と共にビス２１にて固定しているにすぎないために、取り付け作業が煩雑となると共に長期使用中に熱板と支持板又は支持板とガイド筒との結合が緩んだ状態となれば、熱板と容器との接触面が不確実となり所望の温度を得ることができなく、又その修理作業も煩わしいこととなるという問題点があった。
【課題を解決するための手段】
【０００５】
本考案は、内部中空で中央にガイド筒８を垂下した台座本体３と、台座本体３の下端外周を覆う底体４とを備えた台座２を設け、この台座本体３のガイド筒８内下部を封鎖するようにシーズヒータ５埋設の円盤状の熱板６を張設し、熱板６上に液体収容の容器７を着脱自在に装着し、容器７内の液体を熱板６を介して加熱する電気ポット１に於いて、上記台座本体３のガイド筒８下端には、中央に向けて環状の受部９を設け、この受部９に適宜の間隔を隔てて上下に貫通する複数の透孔１０、１０を設ける一方、熱板６下壁の シーズヒータ５外側の周面壁には、適宜の間隔を隔てて複数のボルト１１、１１をインサート成形し、耐熱性のシールパッキン１５を介して受部９上に熱板６を配置し、受部９を貫通するボルト１１のネジ部分と受部９との接触面及びボルト１１に螺着して熱板６を固定するナット１８と受部９との接触面に耐熱性のパッキン１７を介在する構成としている。
【考案の効果】
【０００６】
本考案は、従来の問題点を解決したものであって、台座本体と熱板との取り付け構造が簡単で直接的に結合できると共に長期使用にも確実に所定の温度を確保でき、熱板の離脱もなく組立作業も至極簡単となる電気ポットを提供するにある。
【図面の簡単な説明】
【０００７】
【図１】本考案実施例の右側面。
【図２】本考案実施例の平面図。
【図３】本考案実施例のＡ−Ａ拡大断面図。
【図４】図３のＢ部拡大図。
【図５】本考案実施例の台座の分解斜視図。
【考案を実施するための形態】
【０００８】
電気ポット１は、所定の温度に加熱して使用する所謂調乳用のものであって、 台座本体３と底体４とを備えた台座２と、台座本体３内に張設しシーズヒータ５を備えた熱板６と、熱板６上に着脱自在に装着する容器７とから構成されている。
【０００９】
台座２の上部となる台座本体３は、耐熱性合成樹脂材料にて形成されており、図３乃至図５に示すように、内部中空で上面中央を開口し、この開口を形成する周壁を下方に垂下したガイド筒８を設けている。このガイド筒８の下端には、中央に向けて環状の受部９を設け、この受部９に適宜の間隔を隔てて上下に貫通する複数の透孔１０、１０を設けている。
【００１０】
底体４は、台座本体３と同一の耐熱性合成樹脂材料にて図５に示すように、台座本体の下端外周を覆うように皿状に形成されている。
【００１１】
熱板６は、熱伝導性の良好な金属材料、特にアルミダイキャスト等により、図５に示すように、円盤状に形成されている。
この熱板６の上面は、図３に示すように、後述の容器７の底面と面接触するよう平坦か若しくはやや山形状に形成されている。
【００１２】
熱板６を加熱するシーズヒータ５は、熱板６の下部にリング状に埋設されている。
又、この熱板６の下部で埋設されたシーズヒータ５の外側周りには、適宜の間隔を隔てて複数のボルト１１，１１がインサート成形されている。
【００１３】
このインサート成形された複数のボルト１１は、全てボルトの頭部分のみがインサート成形されており、下部のネジ部分が、熱板６の下部より垂下して、受部９を貫通し受部下端より突出する長さに形成されている。この熱板６の下部中央には、熱板６の温度を感知して後述の制御部１２に伝えるサーミスタやサーモスタット等の温度感知器１３がネジ１４，１４にて熱板６の下部壁に止められている。
【００１４】
１５は、耐熱性、弾性材料にて、図３乃至図５に示すように、縦断面Ｌ字状に形成された環状のシールパッキンである。
このシールパッキン１５は、縦断面Ｌ字状の垂直部の外側をガイド筒８内側下端壁面に当接し、内側を熱板６の外周壁面に当接すると共に縦断面Ｌ字状の水平部の下側を受部９の上面に当接し、上側を熱板６の下面に当接している。
【００１５】
このシールパッキン１５の水平部には、受部９の複数の透孔１０、１０にそれぞれ合致する位置に上下に貫通の小孔１６，１６を穿設している。
このようにしてシールパッキン１５の介在にて、台座本体３の受部９上に熱板６が配置されることとなる。
【００１６】
熱板６では、図４に示すように、熱板下壁面より垂下したボルト１１のネジ部分が、シールパッキン１５の小孔１６を貫通し、受部９の透孔１０をも貫通した後、後述のパッキン１７介在後ナット１８にて受部下側に螺着されている。
【００１７】
このパッキン１７は、耐熱性、弾性材料にて、図３乃至図５に示すように、台付きの筒状に形成されており、受部９の下側より透孔１０内に挿入され、透孔１０内のボルト１１のネジ部分を囲み、受部９上端のシールパッキン１５に近接され、その台部分が受部下側の透孔１０周りに当接されている。
【００１８】
ナット１８は、図４に示すように、ワッシャ介在後熱板６のボルト１１の受部貫通のネジ部分に螺着しているが、受部９とは直接接触することはない。
１９は、外部電源を供給するための電源用リード線であって、台座２内の温度感知器１３及び後述の制御部１２に接続されている。
【００１９】
２０は、台座２の前面下方に突出してシーズヒータ５をＯＮするスイッチボタンである。
制御部１２は、スイッチボタン２０の後方にあって、温度感知器１３の感知に基づいてシーズヒータ５を制御し、後述の容器７内の液温を約７３℃付近に保つようにしている。
【００２０】
容器７は、耐熱性ガラス等の材料により、口元を若干狭くした後広げた徳利状に形成している。
この容器７の口元には、着脱自在に装着する蓋体２１を設けている。２２は、ハンドルで容器７の口元に近いくびれ部分に固定されている。
【００２１】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２２】
１…電気ポット
２…台座
３…台座本体
４…底体
５…シーズヒータ
６…熱板
７…容器
８…ガイド筒
９…受部
１０、１０…透孔
１１、１１…ボルト
１２…制御部
１３…温度感知器
１４、１４…ネジ
１５…シールパッキン
１６、１６…小孔
１７、１７…パッキン
１８、１８…ナット
１９…電源用リード線
２０…スイッチボタン
２１…蓋体
２２…ハンドル
【図１】
0003158291.tif 000003
【図２】
0003158291.tif 000004
【図３】
0003158291.tif 000005
【図４】
0003158291.tif 000006
【図５】
0003158291.tif 000007